(57)【要約】【課題】嵩高物品や小物物品などの種々の収納物品を、単一の抽斗内で、収納容積効率を高めて、かつ区分して収納し得るとともに、各々の物品の出し入れ性を向上し得る収納家具装置を提供する。【解決手段】収納家具装置１は、収納家具本体１０と、この収納家具本体に前後に出し入れ自在に支持された主抽斗２０と、この主抽斗に対してレール４１を介して前後にスライド自在に支持された副抽斗３０と、を備えており、前記副抽斗が前記主抽斗に対して最前方位置とされた際に、前記主抽斗の収納空間３の左右方向の一部分を上下に区画するように配設されて、該副抽斗の左右の少なくともいずれか一方側に嵩高収納空間４が形成される。【選択図】図１
2013090660.tif 000002
【特許請求の範囲】
【請求項１】
収納家具本体と、
この収納家具本体に前後に出し入れ自在に支持された主抽斗と、
この主抽斗に対してレールを介して前後にスライド自在に支持された副抽斗と、を備えており、
前記副抽斗が前記主抽斗に対して最前方位置とされた際に、前記主抽斗の収納空間の左右方向の一部分を上下に区画するように配設されて、該副抽斗の左右の少なくともいずれか一方側に嵩高収納空間が形成されることを特徴とする収納家具装置。
【請求項２】
請求項１において、
前記副抽斗は、前記主抽斗に対して、該主抽斗の背板部よりも後方に突出して該主抽斗の収納空間底面側を略開放するようにスライド自在とされていることを特徴とする収納家具装置。
【請求項３】
請求項１または２において、
前記副抽斗が前記主抽斗に対して最前方位置とされた際に、該副抽斗の前方側に、前記主抽斗の収納空間底面から上方に掛けて吹き抜け状の収納空間が形成されることを特徴とする収納家具装置。
【請求項４】
請求項１乃至３のいずれか１項において、
前記主抽斗の収納空間側に向けて突出する他の機器・器具部材が設けられる構成とされており、
前記副抽斗は、前記収納家具本体から引き出された前記主抽斗に対して後方側にスライドされる際及び該主抽斗とともに前記収納家具本体に格納される際における前記機器・器具部材との干渉を避けるように形成されていることを特徴とする収納家具装置。
【請求項５】
請求項１乃至４のいずれか１項において、
前記副抽斗が前記主抽斗の左右方向における複数の所定位置に選択的に装着可能とされていることを特徴とする収納家具装置。
【請求項６】
請求項１乃至５のいずれか１項において、
前記レールは、前記副抽斗の左右側部にそれぞれ固定される一対のスライドレールとされ、これら一対のスライドレールは、前記主抽斗の前板部及び背板部に架け渡されるように支持されていることを特徴とする収納家具装置。
【請求項７】
請求項１乃至５のいずれか１項において、
前記レールは、前記副抽斗の左右側部にそれぞれ固定される一対のスライドレールとされ、一方のスライドレールは、前記主抽斗の前板部及び背板部に架け渡されるように支持され、他方のスライドレールは、前記主抽斗の側板部に支持されていることを特徴とする収納家具装置。
【請求項８】
請求項１乃至５のいずれか１項において、
前記レールは、前記副抽斗の左右側部のいずれか一方に固定される単一のスライドレールであることを特徴とする収納家具装置。
【発明の詳細な説明】
【技術分野】
【０００１】
本発明は、収納家具本体とこの収納家具本体に出し入れ自在に支持された抽斗とを備えた収納家具装置に関する。
【背景技術】
【０００２】
従来より、収納家具本体とこの収納家具本体に出し入れ自在に支持された抽斗とを備えた収納家具が知られている。
例えば、下記特許文献１では、什器本体（家具本体）に第１の進退支持機構を介して支持された第１の抽斗とこの第１の抽斗に第２の進退支持機構を介して支持された第２の抽斗とを備えた什器（収納家具）が提案されている。この什器（収納家具）は、第１の抽斗及び第２の抽斗の奥行き寸法及び幅寸法を略等しく設定して第１の抽斗の両側内側面と第２の抽斗の両側外側面とをそれぞれ第２の進退支持機構によって連結した構造とされている。
【先行技術文献】
【特許文献】
【０００３】
【特許文献１】特開２００６−１９２１６３号公報
【発明の概要】
【発明が解決しようとする課題】
【０００４】
ところで、特に厨房家具等においては、近年、抽斗が大型化しており、このような大型の単一の抽斗内に種々の収納物品を収納する際には、区分して収納したいという要望がある。一般的にはトレーやバスケット等の容器を抽斗内に固定または載置して抽斗の収納空間を区画し、該区画された空間に収納物品を区分して収納することも行われているが、収納物品の出し入れ性等の観点からは更なる改善が望まれていた。
また、上記特許文献１に記載された収納家具のように、第１の抽斗の略全幅に亘って第２の抽斗を設けて収納空間を上下二層に区画した抽斗では、この抽斗内に、鍋や大瓶容器等の嵩高物品と、箸や調味料容器等の小物物品とを区分して収納することは困難であった。
【０００５】
本発明は、上記実情に鑑みてなされたものであり、嵩高物品や小物物品などの種々の収納物品を、単一の抽斗内で、収納容積効率を高めて、かつ区分して収納し得るとともに、各々の物品の出し入れ性を向上し得る収納家具装置を提供することを目的としている。
【課題を解決するための手段】
【０００６】
上記目的を達成するために、本発明に係る収納家具装置は、収納家具本体と、この収納家具本体に前後に出し入れ自在に支持された主抽斗と、この主抽斗に対してレールを介して前後にスライド自在に支持された副抽斗と、を備えており、前記副抽斗が前記主抽斗に対して最前方位置とされた際に、前記主抽斗の収納空間の左右方向の一部分を上下に区画するように配設されて、該副抽斗の左右の少なくともいずれか一方側に嵩高収納空間が形成されることを特徴とする。
【０００７】
本発明においては、前記副抽斗を、前記主抽斗に対して、該主抽斗の背板部よりも後方に突出して該主抽斗の収納空間底面側を略開放するようにスライド自在とされたものとしてもよい。
また、本発明においては、前記副抽斗が前記主抽斗に対して最前方位置とされた際に、該副抽斗の前方側に、前記主抽斗の収納空間底面から上方に掛けて吹き抜け状の収納空間が形成されるようにしてもよい。
また、本発明においては、前記主抽斗の収納空間側に向けて突出する他の機器・器具部材が設けられる構成とされたものとし、前記副抽斗を、前記収納家具本体から引き出された前記主抽斗に対して後方側にスライドされる際及び該主抽斗とともに前記収納家具本体に格納される際における前記機器・器具部材との干渉を避けるように形成してもよい。
【０００８】
また、本発明においては、前記副抽斗を前記主抽斗の左右方向における複数の所定位置に選択的に装着可能とするようにしてもよい。
また、本発明においては、前記レールを、前記副抽斗の左右側部にそれぞれ固定される一対のスライドレールとし、これら一対のスライドレールを、前記主抽斗の前板部及び背板部に架け渡すように支持させるようにしてもよい。
また、本発明においては、前記レールを、前記副抽斗の左右側部にそれぞれ固定される一対のスライドレールとし、一方のスライドレールを、前記主抽斗の前板部及び背板部に架け渡すように支持させ、他方のスライドレールを、前記主抽斗の側板部に支持させるようにしてもよい。
また、本発明においては、前記レールを、前記副抽斗の左右側部のいずれか一方に固定される単一のスライドレールとしてもよい。
【発明の効果】
【０００９】
本発明に係る収納家具装置は、上述のような構成としたことで、嵩高物品や小物物品などの種々の収納物品を、単一の抽斗内で、収納容積効率を高めて、かつ区分して収納することができるとともに、各々の物品の出し入れ性を向上させることができる。
【図面の簡単な説明】
【００１０】
【図１】本発明の一実施形態に係る収納家具装置の一例を模式的に示す概略斜視図である。
【図２】同収納家具装置の一部省略概略正面図である。
【図３】（ａ）は、同収納家具装置の一部省略概略斜視図、（ｂ）は、同収納家具装置の一部省略概略平面図である。
【図４】（ａ）は、同収納家具装置の一部省略概略斜視図、（ｂ）は、同収納家具装置の一部省略概略平面図である。
【図５】同収納家具装置が備える主抽斗の一例を模式的に示す一部省略概略斜視図である。
【図６】（ａ）は、図３（ｂ）におけるＸ部に対応させた一部破断概略拡大平面図、（ｂ）は、同主抽斗を模式的に示す一部を省略した一部破断概略側面図である。
【図７】本発明の他の実施形態に係る収納家具装置の一例を模式的に示す一部省略概略斜視図である。
【図８】（ａ）、（ｂ）は、いずれも同収納家具装置をそれぞれ模式的に示す一部を省略した概略平面図である。
【図９】同収納家具装置が備える主抽斗の一例を模式的に示す一部省略概略斜視図及び部分拡大概略斜視図である。
【図１０】本発明の更に他の実施形態に係る収納家具装置の一例を模式的に示す一部省略概略斜視図である。
【図１１】（ａ）、（ｂ）は、いずれも同収納家具装置をそれぞれ模式的に示す一部を省略した概略平面図である。
【図１２】（ａ）は、図１１（ａ）におけるＹ−Ｙ線矢視に対応させた一部省略概略拡大縦断面図、（ｂ）は、同収納家具装置が備える副抽斗及びレールの一例を模式的に示す概略斜視図である。
【発明を実施するための形態】
【００１１】
以下に本発明の実施の形態について、図面に基づいて説明する。
なお、一部の図では、他図に付している詳細な符号の一部を省略している。
また、以下の各実施形態では、各実施形態における収納家具装置の正面（引き出し操作の可能な側）に対面した使用者を基準として、使用者側を前方、その逆側を後方とし、その前後方向に直交する方向を左右方向として説明する。
【００１２】
図１〜図６は、第１実施形態に係る収納家具装置を示している。
本実施形態に係る収納家具装置１は、図１及び図２に示すように、収納家具本体１０と、この収納家具本体１０の上面側を覆う調理台天板としてのカウンター１６と、を備えている。本実施形態では、収納家具装置１の一例として、カウンター１６に、シンク（水槽）１７を組み込んだ流し台家具装置（厨房家具装置）を例示している。
【００１３】
収納家具本体１０は、左右に配された側板１１，１１と、底板１２と、背板１３と、を備えており、その上部は、カウンター１６が載置されて閉塞されて、前方に向けて開口する内側空間２を有した箱状とされている。
内側空間２の上側領域には、図２に示すように、シンク１７が収容され、内側空間２の左右方向略中央部位における奥側中段領域には、図２及び図３に示すように、シンク１７の排水トラップ部１８及び排水管１９が収容されている。排水管１９は、背板１３に設けられた貫通孔を介して収納家具本体１０外へ導出されている。
【００１４】
また、収納家具装置１は、収納家具本体１０に前後に出し入れ自在に支持された主抽斗２０を備えている。収納家具本体１０の前面開口は、この主抽斗２０の前板部２１と、シンク１７の前方に配された化粧前板１５とによって覆われる。つまり、収納家具本体１０の内側空間２の上側領域前方側は、化粧前板１５によって覆われ、その下側領域前方側は、主抽斗２０の前板部２１によって覆われる。
主抽斗２０は、この前板部２１と、背板部２３と、底板部２４と、左右一対の側板部２５，２５と、を備え、上方に向けて開口する収納空間３を有した略箱型形状とされている。上記した排水トラップ部１８及び排水管１９は、図２に示すように、この主抽斗２０の収納空間３側に向けて突出するように設けられている（図３（ｂ）も参照）。
【００１５】
主抽斗２０の背板部２３は、図２に示すように、左右方向略中央部位に、左右方向両側部よりも低い低背部を設け、その左右方向両側部が高背部とされている。この低背部は、当該主抽斗２０が後方格納位置にある状態で、当該主抽斗２０の背板部２３が排水トラップ部１８や排水管１９などと干渉しないように形成されている。
また、主抽斗２０の両側板部２５，２５の上方には、前板部２１及び背板部２３に架け渡されるようにして前後方向に長尺とされた棒状部材２７，２７がそれぞれに設けられている。また、図例では、背板部２３の右側高背部の中央側角部と前板部２１との間に架け渡すようにして棒状部材２７を設けている。これら棒状部材２７は、収納された物品の倒れや飛び出し等を防止するガードとなる。
この主抽斗２０は、収納家具本体１０の両側板１１，１１の対向面のそれぞれに設けられた主抽斗レール１４，１４によって前後にスライド自在に支持されている。主抽斗２０には、収納家具本体１０内に設けられた主抽斗レール１４，１４にそれぞれスライド自在に係合するガイド部２６，２６がそれぞれに設けられている。図例では、主抽斗２０の両側板部２５，２５の下端部にガイド部２６，２６を設けた例を示している。
【００１６】
また、収納家具装置１は、主抽斗２０に対してレール４１を介して前後にスライド自在に支持された副抽斗３０を備えている。
この副抽斗３０は、図１〜図３に示すように、主抽斗２０に対して最前方位置とされた際に、主抽斗２０の収納空間３の左右方向の一部分を上下に区画するように配設される。また、このように配設された副抽斗３０の左右の少なくともいずれか一方側には嵩の高い嵩高物品の収納が可能な嵩高収納空間４が形成される。また、副抽斗３０が配設された主抽斗２０の収納空間３の左右方向の一部分は、副抽斗３０によって上下に区画されて副抽斗３０の下方側（主抽斗２０の収納空間３底面側）に、小物物品等の収納が可能な小物収納空間５が形成される。また、この副抽斗３０は、前板部３１と、背板部３２と、底板部３３と、左右一対の側板部３４，３４と、を備え、上方に向けて開口し、小物物品等の収納が可能な小物収納空間６を有した略箱型形状とされている。つまり、副抽斗３０が配設された主抽斗２０の収納空間３の左右方向の一部分には、上下二段の小物収納空間５，６（下段小物収納空間５、上段小物収納空間６）が形成される。図例では、主抽斗２０の収納空間３の左側領域を嵩高収納空間４とし、右側領域を副抽斗３０によって上下に区画した例を示している。
【００１７】
このような構成とすることで、嵩高物品や小物物品などの種々の収納物品を、単一の抽斗（主抽斗）２０内で、収納容積効率を高めて、かつ区分して収納することができるとともに、各々の物品の出し入れ性を向上させることができる。つまり、副抽斗３０が、主抽斗２０に対して最前方位置とされた際に、主抽斗２０の収納空間３の左右方向の一部分を上下に区画するように配設される。従って、この副抽斗３０の収納空間（上段小物収納空間）６及びこの副抽斗３０によって区画された下段小物収納空間５に小物物品を区分して収納することができる。また、副抽斗３０が、主抽斗２０に対して最前方位置とされた際に、副抽斗３０の左右の少なくともいずれか一方側に嵩高収納空間４が形成されるので、この嵩高収納空間４に嵩高物品を収納することができ、嵩高物品と小物物品とを効率的に区分して主抽斗２０内に収納することができる。また、主抽斗２０を収納家具本体１０から引き出し、副抽斗３０を主抽斗２０に対して後方側にスライドさせれば、下段小物収納空間５への小物物品の出し入れを容易に行うことができ、各々の物品の出し入れ性を向上させることができる。
【００１８】
また、本実施形態では、図１及び図２に示すように、副抽斗３０が主抽斗２０に対して最前方位置とされた際に、副抽斗３０の前方側に、主抽斗２０の収納空間底面（底板部２４の上面）から上方に掛けて吹き抜け状の収納空間（吹抜収納空間）７が形成される。つまり、副抽斗３０が主抽斗２０に対して最前方位置とされた状態で、副抽斗３０の前板部３１と主抽斗２０の前板部２１とを近接または当接させることも可能であるが、本実施形態では、副抽斗３０の前板部３１と主抽斗２０の前板部２１との間に空間を設けて吹抜収納空間７を形成している。これにより、主抽斗２０の収納空間３の上記左右方向の一部分には、上下二段の小物収納空間５，６の前方側に、吹抜収納空間７が形成される。また、本実施形態では、この吹抜収納空間７に、上方に向けて開口する箱形状とされた収納容器２８を配設している。この収納容器２８は、深形の樹脂製函体とされており、この収納容器２８には、調理箸、お玉、レードル等を立てかけて収納することができる。また、吹抜収納空間７のうち収納容器２８以外の部分は、高背の瓶容器や俎板の収納、あるいは包丁差し等の載置収納目的に使用することができる。
このような吹抜収納空間７を設けることで、この吹抜収納空間７に前記の長尺物品等を区分して収納することができ、前記の嵩高収納空間４、小物収納空間５，６、吹抜収納空間７、収納容器２８の夫々において、種々の収納物品をより効率的に区分して収納することができる。なお、本実施形態では、図３に示すように、副抽斗３０を主抽斗２０に対して最前方位置とした際に、前方側に吹抜収納空間７を設け、かつ主抽斗２０の背板部２３と副抽斗３０の背板部３２とが前後方向において概ね一致するように、副抽斗３０の前後寸法を設定した例を示している。
【００１９】
また、副抽斗３０は、図４に示すように、主抽斗２０に対して、主抽斗２０の背板部２３よりも後方に突出して、下段小物収納空間（主抽斗２０の収納空間底面側）５を略開放するようにスライド自在とされている。本実施形態では、副抽斗３０を主抽斗２０に対して後方側へスライドさせ、最後方位置とした際には、主抽斗２０の背板部２３と副抽斗３０の前板部３１とが前後方向において概ね一致して、下段小物収納空間５の全体が開放される構成としている。なお、副抽斗３０を主抽斗２０に対して後方側へスライドさせ、最後方位置とした際に、副抽斗３０の前板部３１が主抽斗２０の背板部２３よりも後方側に位置して、下段小物収納空間５の全体が開放される構成としてもよい。
このような構成とすることで、副抽斗３０によって区画された下段小物収納空間５への小物物品の出し入れをより容易に行うことができる。
また、本実施形態では、図２〜図４に示すように、主抽斗２０が収納家具本体１０に対して格納位置にある状態で、副抽斗３０の後方側へのスライドを防止するストッパー１１ａを設けている。このストッパー１１ａは、例えば、樹脂製とされ、図３に示すように、収納家具本体１０の側板１１にねじ等の締結具によって固定されており、主抽斗２０とともに収納家具本体１０に対して格納位置とされた副抽斗３０の後方近傍位置に設けられている。このようなストッパー１１ａを設けることで、例えば、主抽斗２０に対して副抽斗３０が後方にスライドした状態で、副抽斗３０が主抽斗２０とともに収納家具本体１０に格納される際にも、副抽斗３０がこのストッパー１１ａに当接して後方側への移動が規制され、副抽斗３０が収納家具本体１０の背板１３に接触するようなことを防止することができる。
【００２０】
また、副抽斗３０は、収納家具本体１０から引き出された主抽斗２０に対して後方側にスライドされる際及び主抽斗２０とともに収納家具本体１０に格納される際における排水トラップ部１８及び排水管１９との干渉を避けるように形成されている（図３（ｂ）及び図４参照）。これら排水トラップ部１８及び排水管１９は、主抽斗２０が収納家具本体１０に格納された状態で、この主抽斗２０の収納空間３の左右方向略中央領域に突出するように設けられている。本実施形態では、図２に示すように、副抽斗３０の左右方向の幅寸法を、これら排水トラップ部１８及び排水管１９との干渉を避けるように、これら排水トラップ部１８及び排水管１９が突出する左右方向中央領域の右側の領域に納まる寸法としている。
このような構成とすることで、収納家具装置１に排水トラップ部１８及び排水管１９が設けられている場合にも、副抽斗３０がこれらに干渉することがなく、副抽斗３０をスムーズにスライドさせることができる。
【００２１】
この副抽斗３０をスライド自在に支持するレール４１は、図４に示すように、副抽斗３０の左右の側板部３４，３４にそれぞれ固定される一対のスライドレール４１，４１とされている。また、本実施形態では、これら一対のスライドレール４１，４１を含む一対のレール部４０，４０を、主抽斗２０の前板部２１及び背板部２３に架け渡すように支持させる構造としている。このような構成とすることで、例えば、後述のように、スライドレール４１を主抽斗２０の側板部２５に固定する場合と比べて、一対のスライドレール４１，４１の左右方向に沿う取付位置の自由度を向上させることができる。
また、これら一対のレール部４０，４０は、図５及び図６（ｂ）に示すように、互いに向き合う方向に開口する形状とされるとともに、主抽斗２０の前板部２１及び背板部２３に架け渡されたレール支持部材４２，４２を備えている。一対のスライドレール４１，４１は、互いにスライド自在に係合する複数のスライド部材を組み合わせた構成とされ、これらがレール支持部材４２，４２の両対向面及び副抽斗３０の左右の側板部３４，３４に、ねじやリベット等の締結具や溶接等によってそれぞれ固定されている。
【００２２】
また、主抽斗２０の前板部２１及び背板部２３には、一対のレール部４０，４０が取り付けられる取付部が設けられている。本実施形態では、副抽斗３０が主抽斗２０の左右方向における複数の所定位置に選択的に装着可能とされており、主抽斗２０の前板部２１及び背板部２３の左右方向の複数箇所に取付部をそれぞれに設けている。このように、副抽斗３０を主抽斗２０の左右方向における複数の所定位置に選択的に装着可能とすることで、左右方向に拡がるキッチン作業台前に立つ使用者の、収納物品の出し入れ使い勝手に柔軟に対応することができる。さらには主抽斗２０の収納空間３側に向けて突出する排水トラップ部１８及び排水管１９の左右の配設位置等に応じて、複数の所定位置のいずれかに副抽斗３０を取り付けることができ、汎用性を向上させることができる。
また、副抽斗３０の左右方向の幅寸法は、排水トラップ部１８及び排水管１９が突出する左右方向中央領域の左側の領域にも納まる寸法とされている。つまり、図例では、主抽斗２０の収納空間３の右側領域を副抽斗３０によって上下に区画し、左側領域を嵩高収納空間４とした例を示しているが、主抽斗２０の収納空間３の左側領域を副抽斗３０によって上下に区画し、右側領域を嵩高収納空間４とすることも可能な構成とされている。
【００２３】
主抽斗２０の前板部２１の取付部は、前板部２１の後面に設けられた取付レール２２とされ、この取付レール２２に、レール部４０のレール支持部材４２の前端部が係合する。取付レール２２は、図５に示すように、前板部２１の後面の左右方向の概ね全幅に亘って設けられている。この取付レール２２は、図６（ｂ）に示すように、側面視して略倒Ｚ字状の形状とされており、前板部２１の後面とによって上方に向けて開口する凹溝を形成している。レール支持部材４２の前端部には、この取付レール２２に引っ掛けられる引掛部４２ａが設けられている。また、この取付レール２２には、上記した吹抜収納空間７に配設された収納容器２８も係合可能とされている。収納容器２８には、図３及び図６（ａ）に示すように、その前面側に取付レール２２に引っ掛けられる引掛部２８ａが設けられている。この収納容器２８の引掛部２８ａを取付レール２２に引っ掛けることで、収納容器２８の倒れや後方側への移動を抑制することができる。
【００２４】
また、取付レール２２には、図５及び図６（ａ）に示すように、前後方向に貫通する係止スリット２２ａが設けられている。この係止スリット２２ａは、取付レール２２の左右方向に沿って間隔を空けて複数箇所（図例では４箇所）に設けられている。これら複数の係止スリット２２ａは、上記のように主抽斗２０の収納空間３の右側領域または左側領域に選択的に配設される副抽斗３０を支持するレール部４０，４０の配設位置に対応させて、それぞれ設けられている。
【００２５】
レール部４０のレール支持部材４２の前端部には、この係止スリット２２ａに係止される係止部材４３が設けられている。この係止部材４３は、図６（ａ）に示すように、前端部に左右方向一方側に向けて突出するように形成された抜止片を有しており、取付レール２２の係止スリット２２ａに挿通された際に強固に係止される。また、レール支持部材４２には、図６（ａ）に示すように、この係止部材４３をレール支持部材４２に対して着脱可能に固定するねじ部材４５が挿通されるねじ挿通孔４２ｂが設けられている。係止部材４３には、ねじ部材４５が捩じ込まれる雌ねじ部（ねじ孔）が設けられており、この雌ねじ部にレール支持部材４２のねじ挿通孔４２ｂを介してねじ部材４５が捩じ込まれることで、係止部材４３がレール支持部材４２に固定される。
上記構成とされたレール部４０のレール支持部材４２の前端部は、その前端部の引掛部４２ａを取付レール２２に引っ掛け、また、係止部材４３を取付レール２２の係止スリット２２ａに係止させ、係止部材４３をレール支持部材４２に固定することで、主抽斗２０の前板部２１に取り付けられ、支持される。
【００２６】
主抽斗２０の背板部２３の取付部は、図５及び図６（ｂ）に示すように、背板部２３の上端部とされ、該上端部には、雌ねじ部（ねじ孔）２３ａが設けられている。本実施形態では、上記のように主抽斗２０の収納空間３の右側領域または左側領域に選択的に配設される副抽斗３０の配設位置に対応させて、背板部２３の左右両側の高背部の上端部をそれぞれ取付部とし、これら高背部の上端部のそれぞれに、それぞれ複数（図例では３つ）の雌ねじ部２３ａを設けている。
一対のレール支持部材４２，４２の後端部には、図５に示すように、これらレール支持部材４２，４２の後端部同士を連結するとともに、主抽斗２０の背板部２３に取り付けられる後端取付連結部材４４の両端が固定されている。この後端取付連結部材４４は、図６（ｂ）に示すように、下方側に向けて開口する形状とされ、主抽斗２０の背板部２３の上端部を受け入れるようにして該上端部に係合する。また、この後端取付連結部材４４は、図例では、主抽斗２０の背板部２３に固定された棒状部材２７，２７との干渉を避けるように、左右方向両端部が上方側に向けて折り曲げられたような形状とされている。
【００２７】
この後端取付連結部材４４には、主抽斗２０の背板部２３に設けられた雌ねじ部２３ａに一致するねじ挿通孔が形成されており、このねじ挿通孔を介してねじ部材４５が背板部２３の雌ねじ部２３ａに捩じ込まれることで、後端取付連結部材４４が背板部２３に対して着脱可能に固定される。このような構成により、レール部４０のレール支持部材４２の後端部は、後端取付連結部材４４を介して主抽斗２０の背板部２３に取り付けられ、支持される。
また、本実施形態では、一対のレール支持部材４２，４２の前端部同士を連結する前端連結部材４６を設けている。このような前端連結部材４６を設けることで、後端側が後端取付連結部材４４によって連結されたレール支持部材４２，４２の前端側の拡縮を抑制することができる。
つまり、本実施形態では、副抽斗３０をスライド自在に支持するスライドレール４１，４１を、左右のレール支持部材４２，４２、前端連結部材４６及び後端取付連結部材４６からなる四方枠状構造とされた取付枠状部材によって、主抽斗２０に取り付ける構造としている。また、この取付枠状部材が、主抽斗２０の左右方向における複数の所定位置に選択的に取付可能とされている。また、この取付枠状部材は、上述のように、主抽斗２０の前板部２１の取付レール２２に引っ掛けられ、また、背板部２３に載置されるようにして主抽斗２０の前板部２１及び背板部２３に架け渡されるように支持されている。これにより、副抽斗３０及びこれに加えてこれに収納された収納物品の荷重を安定的に受けることができる。また、使用者や取付作業者は、この取付枠状部材及びこれに支持された副抽斗３０を、主抽斗２０の左右方向における複数の所定位置のうちのいずれかに容易に取り付けることができ、また、容易に脱離させることも可能となる。
【００２８】
なお、本実施形態では、レール部４０を主抽斗２０に対して容易に着脱可能とするために、レール支持部材４２の前端部と係止部材４３とを締結するねじ部材４５及び後端取付連結部材４４と背板部２３とを締結するねじ部材４５を、ローレット加工が施されて手指で操作が可能な摘み部を有したものとしている。これは、キッチン使用者でも、使い勝手に応じて、主抽斗２０に対する副抽斗３０の左右方向の取付位置を任意に選択して着脱し易いように配慮したものである。なお、ねじ部材４５としてはこのようなものに限られず、他のねじ等の締結具を採用するようにしてもよい。
また、本実施形態では、主抽斗２０の収納空間３側に向けて突出する他の機器・器具部材として、シンク１７の排水トラップ部１８及び排水管１９を例示しているが、このような態様に限られない。主抽斗の収納空間側に向けて突出する他の機器としては、例えば、浄水器や整水器等が挙げられる。また、器具部材としては、給排水管、ガス管等が挙げられる。
また、本実施形態においては、主抽斗２０に対する副抽斗３０の左右方向の位置は、前述のような、機器・器具の存在による干渉回避の制約がない場合、副抽斗３０の左右方向の位置は、主抽斗２０の左右方向の中央部としてもよく、主抽斗２０が装着された収納家具装置１の使用目的によって、左右方向の自在の位置に設けるようにしてもよい。
【００２９】
次に、本発明に係る他の実施の形態について、図面を参照しながら説明する。
図７〜図９は、第２実施形態に係る収納家具装置を示している。
なお、上記第１実施形態との相違点について主に説明し、同様の構成については、同一符号を付し、その説明を省略または簡略に説明する。
【００３０】
本実施形態に係る収納家具装置１Ａは、図７及び図８に示すように、主抽斗２０Ａの収納空間３Ａ側に向けて突出する他の機器・器具部材が設けられていない例を示している。そのため、嵩高収納空間４Ａが、上記第１実施形態と比べて大きく形成される。
また、本実施形態では、主抽斗２０Ａの両側板部２５Ａ，２５Ａを、上記第１実施形態の主抽斗２０Ａの両側板部２５，２５よりも上下寸法を大きくし、これら両側板部２５Ａ，２５Ａの上端部に、収納家具本体１０Ａの両側板１１，１１の対向面にそれぞれ固定された主抽斗レール１４Ａ，１４Ａにスライド自在に係合するガイド部２６Ａ，２６Ａを設けた例を示している。
【００３１】
また、本実施形態では、副抽斗３０をスライド自在に支持するスライドレール４１，４１を含む一対のレール部４０Ａ，４０Ａの支持態様が上記第１実施形態とは異なる。本実施形態では、副抽斗３０の左右の両側板部３４，３４にそれぞれ固定される一対のスライドレール４１，４１のうちの一方のスライドレール４１は、図８及び図９に示すように、上記同様のレール支持部材４２を介して主抽斗２０Ａの前板部２１及び背板部２３Ａに架け渡されるように支持されている。
【００３２】
主抽斗２０Ａの前板部２１に設けられた取付レール２２Ａには、この一方のスライドレール４１が固定されたレール支持部材４２の配設位置に対応させて、上記同様の係止スリット２２ａが設けられている。本実施形態においても上記第１実施形態と同様、副抽斗３０が主抽斗２０Ａの左右方向における複数の所定位置に選択的に装着可能とされている。そのため取付レール２２Ａの係止スリット２２ａは、主抽斗２０Ａの収納空間３Ａの右側領域または左側領域に選択的に配設される副抽斗３０を支持する一方のスライドレール４１（一方のレール部４０Ａ）の配設位置に対応する位置にそれぞれ設けられている。また、この一方のレール部４０Ａのレール支持部材４２の前端部には、係止スリット２２ａに係止される上記同様の係止部材４３（図８参照）が設けられており、上記同様にしてレール支持部材４２の前端部が主抽斗２０Ａの前板部２１に取り付けられ、支持される。
【００３３】
また、背板部２３Ａは、低背部や高背部が設けられておらず、左右方向の全幅に亘って同高さとされている。この背板部２３Ａには、上記同様の取付部としての雌ねじ部２３ａに加え、図９に示すように、上下方向に貫通した係止スリット２３ｂが設けられている。これら雌ねじ部２３ａ及び係止スリット２３ｂは、前板部２１の取付レール２２Ａの係止スリット２２ａと同様、主抽斗２０Ａの収納空間３Ａの右側領域または左側領域に選択的に配設される副抽斗３０を支持する一方のスライドレール４１（一方のレール部４０Ａ）の配設位置に対応する位置にそれぞれ設けられている。
【００３４】
上記一方のレール部４０Ａのレール支持部材４２の後端部には、背板部２３Ａの上端部に係合する後端取付部材４４Ａが固定されている。この後端取付部材４４Ａは、下方に向けて開口する形状とされ、主抽斗２０Ａの背板部２３Ａの上端部を受け入れるようにして該上端部に係合する。この後端取付部材４４Ａには、図９に示すように、背板部２３Ａに設けられた係止スリット２３ｂに挿通されて係止する係止片４４ａが設けられている。また、この後端取付部材４４Ａには、主抽斗２０Ａの背板部２３Ａに設けられた雌ねじ部２３ａに一致するねじ挿通孔が形成されている。この後端取付部材４４Ａは、背板部２３Ａに設けられた係止スリット２３ｂに、係止片４４ａを係止させるとともに、上記ねじ挿通孔を介してねじ部材４５を背板部２３Ａの雌ねじ部２３ａに捩じ込むことで、背板部２３Ａに対して着脱可能に固定される。このような構成により、一方のレール部４０Ａのレール支持部材４２の後端部が後端取付部材４４Ａを介して主抽斗２０Ａの背板部２３Ａに取り付けられ、支持される。
【００３５】
副抽斗３０の左右の両側板部３４，３４にそれぞれ固定される一対のスライドレール４１，４１のうちの他方のスライドレール４１は、図９に示すように、主抽斗２０Ａの側板部２５Ａに支持されている。この他方のスライドレール４１は、主抽斗２０Ａの側板部２５Ａの内側面にねじ等の締結具によって固定されて支持されている。なお、この他方のスライドレール４１を取り付ける取付部を主抽斗２０Ａの両側板部２５Ａ，２５Ａにそれぞれ設けるようにしてもよい。また、図例では、この他方のスライドレール４１を直接的に側板部２５Ａの内側面に固定した例を示しているが、上記したようなスライド支持部材４２等を介して側板部２５Ａの内側面に固定する態様としてもよい。
【００３６】
上記構成とされた本実施形態に係る収納家具装置１Ａにおいても、上記第１実施形態と概ね同様の効果を奏する。
また、本実施形態では、副抽斗３０の左右の両側板部３４，３４にそれぞれ固定される一対のスライドレール４１，４１のうちの他方のスライドレール４１を、主抽斗２０Ａの側板部２５Ａに支持させている。従って、この他方のスライドレール４１を側板部２５Ａによって強固に支持することができる。
なお、本実施形態に係る収納家具装置１Ａが備える収納家具本体１０Ａの上面側は、図示を省略しているが、調理台天板としてのカウンターによって覆うようにしてもよい。または、このような調理台天板に限られず、天板によって覆う構成としてもよい。また、収納家具本体１０Ａの内側空間２Ａの上側領域に、他の機器等が収容される構成としてもよいが、上段抽斗等を収納家具本体１０Ａに対して前後に出し入れ自在に支持させる構成としてもよい。また、図示を省略しているが、本実施形態に係る収納家具装置１Ａにおいても、主抽斗２０Ａが収納家具本体１０Ａに対して格納位置にある状態で、副抽斗３０の後方側へのスライドを防止する上記同様のストッパーを設けている。
【００３７】
次に、本発明に係る更に他の実施の形態について、図面を参照しながら説明する。
図１０〜図１２は、第３実施形態に係る収納家具装置を示している。
なお、上記各実施形態との相違点について主に説明し、同様の構成については、同一符号を付し、その説明を省略または簡略に説明する。
【００３８】
本実施形態に係る収納家具装置１Ｂは、図１０及び図１１に示すように、上記各実施形態と比べて副抽斗３０Ａの幅寸法を小さくしている。そのため、嵩高収納空間４Ｂが、上記各実施形態と比べて大きく形成される一方、上下二段の小物収納空間５Ａ，６Ａが、上記各実施形態と比べて小さくなる。このように、各実施形態における各収納家具装置１（１Ａ，１Ｂ）においては、副抽斗３０（３０Ａ）の幅寸法及び前後寸法を、収納家具装置１（１Ａ，１Ｂ）が設置される箇所や使用目的、想定される使用態様、使用者の使い勝手等に応じて設定することで、副抽斗３０（３０Ａ）によって区画される嵩高収納空間、上下二段の小物収納空間、吹抜収納空間の容量（収納容積）をそれぞれ増減させることができる。
【００３９】
また、本実施形態では、図１１及び図１２に示すように、副抽斗３０Ａをスライド自在に支持するレールが上記各実施形態とは異なり、副抽斗３０Ａの左右側部のいずれか一方に固定される単一のスライドレール４１Ａとされている。
また、本実施形態では、このスライドレール４１Ａを含むレール部４０Ｂが主抽斗２０Ｂの側板部２５Ｂに支持されている。
このスライドレール４１Ａの副抽斗３０Ａ側のスライド部材は、副抽斗３０Ａの側部に設けられた板状の取付部３５にねじ等の締結具によって固定されている。
一方、スライドレール４１Ａの側板部２５Ｂ側のスライド部材には、複数（図例では３つ）の取付部材４７が固定されており、これら取付部材４７を介してスライドレール４１Ａが主抽斗２０Ｂの側板部２５Ｂに固定されている。この取付部材４７は、図１２に示すように、下端部にねじ部材４５が挿通されるねじ挿通孔４７ａが設けられ、上端部に鉤状に屈曲された係止片４７ｂを有した構成とされている。
【００４０】
主抽斗２０Ｂの側板部２５Ｂには、レール部４０Ｂが取り付けられる取付部が設けられている。本実施形態においても上記各実施形態と同様、副抽斗３０Ａが主抽斗２０Ｂの左右方向における複数の所定位置に選択的に装着可能とされており、主抽斗２０Ｂの両側板部２５Ｂ，２５Ｂに取付部をそれぞれに設けている。
これら側板部２５Ｂ，２５Ｂに設けられた取付部は、図１０及び図１２に示すように、取付部材４７のねじ挿通孔４７ａに一致する雌ねじ部２５ａと、取付部材４７の係止片４７ｂが挿通されて係止される係止スリット２５ｂとから構成されている。また、これら雌ねじ部２５ａ及び係止スリット２５ｂは、取付部材４７の個数に対応させて、前後方向に間隔を空けて複数箇所にそれぞれ設けられている。
レール部４０Ｂの取付部材４７は、図１２（ａ）に示すように、側板部２５Ｂに設けられた係止スリット２５ｂに、係止片４７ｂを係止させるとともに、ねじ挿通孔４７ａを介してねじ部材４５を側板部２５Ｂの雌ねじ部２５ａに捩じ込むことで、側板部２５Ｂに対して着脱可能に固定される。このような構成により、スライドレール４１Ａが取付部材４７を介して主抽斗２０Ｂの側板部２５Ｂに取り付けられ、支持されている。
【００４１】
上記構成とされた本実施形態に係る収納家具装置１Ｂにおいても、上記各実施形態と概ね同様の効果を奏する。
また、本実施形態では、嵩高収納空間４Ｂを形成する主抽斗２０Ｂ内において、簡素な構成で以って、局所限定的に小物収納空間５Ａ，６Ａを形成することができる。
また、本実施形態では、副抽斗３０Ａをスライド自在に支持するレールを、副抽斗３０Ａの左右側部のいずれか一方に固定される単一のスライドレール４１Ａとしており、また、副抽斗３０Ａは、樹脂成型品で函状に形成された容器体のみで形成されているので、部品点数を削減することができ、低コスト化を図ることができる。
なお、図示を省略しているが、本実施形態に係る収納家具装置１Ｂにおいても、主抽斗２０Ｂが収納家具本体１０Ａに対して格納位置にある状態で、副抽斗３０Ａの後方側へのスライドを防止する上記同様のストッパーを設けている。また、本実施形態では、副抽斗３０Ａの左右側部のいずれか一方に固定される単一のスライドレール４１Ａを、主抽斗２０Ｂの側板部２５Ｂに支持させた例を示しているが、このスライドレール４１Ａを、主抽斗２０Ｂの前板部２１及び背板部２３Ｂに架け渡すようにして支持させるようにしてもよい。この場合は、上記各実施形態において説明したような取付部やレール支持部材を設けるようにしてもよい。
また、上記各実施形態において説明した互いに異なる構成を組み替えたり、または組み合わせたりして、適用するようにしてもよく、また、この場合は、各構成を必要に応じて変形するようにしてもよい。
【符号の説明】
【００４２】
１，１Ａ，１Ｂ        収納家具装置
３，３Ａ              主抽斗の収納空間
４，４Ａ，４Ｂ        嵩高収納空間
７                    吹抜収納空間（吹き抜け状の収納空間）
１０，１０Ａ          収納家具本体
１８                  排水トラップ部（器具部材）
１９                  排水管（器具部材）
２０，２０Ａ，２０Ｂ  主抽斗
２１                  前板部
２３，２３Ａ          背板部
２５Ａ，２５Ｂ        側板部
３０，３０Ａ          副抽斗
３４                  側板部（側部）
４１，４１Ａ          スライドレール（レール）
【図１】
2013090660.tif 000003
【図２】
2013090660.tif 000004
【図３】
2013090660.tif 000005
【図４】
2013090660.tif 000006
【図５】
2013090660.tif 000007
【図６】
2013090660.tif 000008
【図７】
2013090660.tif 000009
【図８】
2013090660.tif 000010
【図９】
2013090660.tif 000011
【図１０】
2013090660.tif 000012
【図１１】
2013090660.tif 000013
【図１２】
2013090660.tif 000014